Podtech/llm-jp-corpus-v4-ja_patent huggingface dataset:
(57)【要約】【課題】本発明は、新たにフォルダを作成しなくても、特定人物の画像データだけを表示することができる画像再生装置を提供する。【解決手段】本実施の形態の画像再生装置は、複数の画像データ及び各画像データに付随する撮影物特定情報を記憶する記憶手段と、画像データに撮影されている撮影物を指定する撮影物指定手段と、前記撮影物指定手段で指定した撮影物情報と同一の撮影物特定情報をもつ画像データを選択する選択手段と、前記選択手段で選択した複数の画像データを順次表示する表示手段とを備える。【選択図】図１
2011199571.tif 000002
【特許請求の範囲】
【請求項１】
複数の画像データ及び各画像データに付随する撮影物特定情報を記憶する記憶手段と、
画像データに撮影されている撮影物を指定する撮影物指定手段と、
前記撮影物指定手段で指定した撮影物情報と同一の撮影物特定情報をもつ画像データを選択する選択手段と、
前記選択手段で選択した複数の画像データを順次表示する表示手段とを備えることを特徴とした画像再生装置。
【発明の詳細な説明】
【技術分野】
【０００１】
本発明は、画像データを再生する画像再生装置に関し、特に、特定の撮影物を含む画像データだけを再生可能な画像再生方法に関するものである。
【背景技術】
【０００２】
従来、画像再生装置は、予め作成されたフォルダに入っている画像データをスライドショーとして再生するものが知られている。また近年、デジタルカメラでは人物を特定して撮影することが可能であり、その情報を使って、特定の人物を含む画像だけを再生することも可能になってきている。
【０００３】
特許文献１では、画像データから顔画像をキーとして、画像群から特定人物を含む画像をすべて取得し、それらをその特定人物用のフォルダに格納することが開示されている。
【０００４】
このように、従来の画像再生装置は、画像データから特定人物用のフォルダを作成することにより、特定人物を含む画像データだけを再生することができる。
【先行技術文献】
【特許文献】
【０００５】
【特許文献１】特開２００５−３０３７５４号公報
【発明の概要】
【発明が解決しようとする課題】
【０００６】
しかしながら、特定人物のフォルダを作成していくと、様々なシーンで撮影された場合に膨大なフォルダが作成されてしまうという問題があった。また画像データに複数の人物が写っている場合には、フォルダを作成する仕組みが煩雑になるという問題もあった。
【０００７】
そこで、本発明は、上記従来の問題点を解決すべく、新たにフォルダを作成しなくても、特定人物の画像データだけを表示することができる画像再生装置を提供することを目的とする。
【課題を解決するための手段】
【０００８】
上記目的を達成するために、本発明の画像再生装置は、複数の画像データ及び各画像データに付随する撮影物特定情報を記憶する記憶手段と、画像データに撮影されている撮影物を指定する撮影物指定手段と、前記撮影物指定手段で指定した撮影物情報と同一の撮影物特定情報をもつ画像データを選択する選択手段と、前記選択手段で選択した複数の画像データを順次表示する表示手段とを備えることを特徴としたものである。
【発明の効果】
【０００９】
上記の構成によれば、新たにフォルダを作成しなくても、同一人物の画像だけを表示することができる画像再生装置を提供できる。
【図面の簡単な説明】
【００１０】
【図１】実施の形態１にかかる画像再生装置のブロック図
【図２】実施の形態１にかかる画像再生装置のフローチャート
【発明を実施するための形態】
【００１１】
以下、本発明の画像再生装置の実施の形態について、図面を参照しながら説明する。
（実施の形態１）
図１に、実施の形態１にかかる画像再生装置のブロック図を示す。
【００１２】
画像再生装置１００は、メモリ１０１と、選択手段１０２と、操作部１０３と、表示手段１０４と、モニタ１０５で構成される。
【００１３】
メモリ１０１は、画像データと、それに付加される撮影物を特定する撮影物特定情報を格納する。
【００１４】
選択手段１０２は、撮影物特定情報に基づき、メモリ１０１に格納されている画像データから、撮影物特定情報に対応する画像データ選択する。
【００１５】
操作部１０３は、モニタ１０５に表示される人物一覧から、図示しないリモコンを用いて、モニタ１０５に表示したい特定人物を決定する。本実施の形態では、モニタ１０５に表示される人物一覧から特定人物を決定したが、キーボードやタッチパネルのような入力手段により任意の特定人物を決定しても良い。
【００１６】
表示手段１０４は、選択手段１０２で選択された画像データをデコードして、モニタ１０５に出力する。
【００１７】
モニタ１０５は、表示手段１０４でデコードされた画像データを表示する。複数の画像データの場合には、ある一定期間ごとに次々と複数の画像データを表示することができる。本実施の形態において、画像再生装置１００はモニタ１０５を有する構成としたが、これには限らない。例えば、画像再生装置１００とモニタ１０５を分離ように構成してもよい。
【００１８】
図２に、実施の形態１にかかる画像再生装置のフローチャートを示す。
【００１９】
次に、画像再生装置１００の動作を図２に示すフローチャートを参照して説明する。
【００２０】
ユーザーは、操作部１０３で、モニタ１０５に表示される人物一覧から、図示しないリモコンを用いて、モニタ１０５に表示したい特定人物Ａを指定する（ステップＳ１）。選択手段１０２は、メモリ１０１に格納された画像データ群から操作部１０３で指定された特定人物Ａと同じ撮影物特定情報をもつ画像データを選択する（ステップＳ２）。メモリ１０１に格納された画像データの中に特定人物Ａと同じ撮影物特定情報をもつ画像データがあるかどうかを判断する（ステップＳ３）。特定人物Ａと同じ撮影物特定情報をもつ画像データがあれば（ステップＳ３のＹＥＳ）、特定人物Ａの画像データ表示リストを生成し、表示手段に出力し、ステップＳ４に進む。一方、画像データが無ければ(ステップＳ３のＮＯ）、再び操作部１０３で別の特定人物をユーザーに決定させるため、ステップＳ１に戻る。表示手段１０４は、選択手段１０２で選択された画像データをデコードして、モニタ１０５に出力する（ステップＳ４）。これにより、特定人物Ａの画像だけを集めたフォルダを作成せずに、特定人物Ａの画像だけをモニタ１０５に表示することが出来る。
【産業上の利用可能性】
【００２１】
本発明は、画像データを再生する画像再生装置に関し、特に、特定の撮影物を含む画像データだけを再生可能な画像再生方法に関するものであって、新たにフォルダを作成しなくても、特定人物の画像データだけを表示することができる。従って、本発明は、ＩＣレコーダのような記録装置で特定人物の音声データだけを再生する等の用途にも適用できる。
【符号の説明】
【００２２】
１００  画像再生装置
１０１  メモリ
１０２  選択手段
１０３  操作部
１０４  表示手段
１０５  モニタ
【図１】
2011199571.tif 000003
【図２】
2011199571.tif 000004
(57)【要約】【目的】  リチウムイオン二次電池の電極材（正極、負極）を単体化する装置。【構成】  金属箔と活性物質が一体となった電極材の活性物質側を、回転する刃物で削ぎ落とす。刃物の温度を５０度以上４５０度以下に加熱する事で、活性物質は軟化し容易に削れ金属箔は削られない。【特許請求の範囲】
【請求項１】
リチウムイオン二次電池の電極材（正極、負極）を単体化する装置。
【発明の詳細な説明】
【発明の詳細な説明】
【０００１】  本発明は、リチウムイオン二次電池の電極材、正極は［アルミ箔＋コバルト系物質］、負極は［銅箔＋カーボン等］で構成されている各々２種類の物質を剥がし、材料であるアルミ、コバルト系物質、銅、カーボン等の４種に分離し、材料を再利用可能とする装置。
【０００２】  従来は、薬品にて溶かして抽出しており、廃液などの問題が発生しています。また、焼却処分をしている場合もあり大量のＣｏ２発生となっています。
【０００３】  本発明は、以上の問題点を解決できます。
銅箔、アルミ箔を金属箔と以後表現。コバルト系物質とカーボン等を活性物質と以後表現する。金属箔と活性物質が一体となった電極材の活性物質側を、回転する刃物で削ぎ落とす。刃物の温度を５０度以上４５０度以下に加熱する事で、活性物質は軟化し容易に削れ金属箔は削られない。回転する刃物は、円柱状もしくは円筒状の金属に、その円周の接線の接点に対して直角に、複数の平たい刃物を並行に並べた物である。
【０００４】  本発明は［０００１］［０００２］［０００３］で説明したように、金属箔と活性物質が一体となった電極材の活性物質側を、回転する刃物で削ぎ落とす装置です。
(57)【要約】【課題】賃貸アパート／賃貸マンションの入居者は、連帯保証人を探す手間がかかる上に、保証金・敷金・礼金などの初期負担金額が大きいなど、入居までに諸々の負担や時間が掛かっている。一方、賃貸物件管理会社は長時間の入居審査などに煩わされる上に家賃滞納発生時の取立てトラブルも多い。また居住後は通常２年ごとに契約更新手続きを行って居住者側に再度の一時負担金が生じる不便があり、また賃貸物件所有者側にも、その際に転居する居住者が多いところから、空室発生による機会損失が発生している。【解決手段】本システムは、賃貸アパート／賃貸マンションに関連する入居者・不動産管理会社・賃貸物件所有者に対して、クレジットカード処理による家賃保証機能や保険代理店機能を有する賃貸サポーターを介在させて、入居に伴う金銭的時間的負担や家賃回収リスクを減らすとともに、居住期間に相関して逓減する家賃体系の採用で、居住者のメリット（家賃負担の逓減化）と賃貸物件所有者の便宜（空室発生率減少）を図るものである。【選択図】図１
2011187035.tif 000002
【特許請求の範囲】
【請求項１】
賃貸アパート／賃貸マンションへ入居する人へ「保証人探し」「入居に伴う初期費用の手当て」「保険加入」などの負担を、手持ちのクレジットカードで一括して処理できるサービスを提供する。
【請求項２】
賃貸物件管理会社へ、入居者が手持ちのクレジットカードで初期保証費用を含む入居物件の初期費用（敷金、礼金）や毎月の家賃を決済できるようにして、諸費用回収のリスクを減らすサービスを提供する。
【請求項３】
居住年数に比例して逓減する家賃制度を適用して、居住者には長期居住に対するメリットを、賃貸物件所有者には居住期間の短期化に伴う空室物件の多発化のデメリット回避を提供する。
【請求項４】
居住者の貸主に対する家賃保証の支払いを毎月支払いとして、保証会社破綻時の加入者のリスクを小さくする。
【発明の詳細な説明】
【技術分野】
【０００１】  本発明は、賃貸アパート／賃貸マンションに関連する入居者・賃貸物件管理会社・賃貸物件所有者の便宜を図るシステムである。
【背景技術】
【０００２】  賃貸アパート／賃貸マンションへ入居する人は、物件契約の際に連帯保証人を必要とする上に、保証金・敷金・礼金などの初期負担金額が大きいなど、入居までに諸々の負担や時間が掛かっている。一方、賃貸物件管理会社は長時間の入居審査などに煩わされる上に家賃滞納発生時の取立てトラブルも多い。また居住後は通常２年ごとに契約更新手続きを行って居住者側に再度の一時負担金が生じる不便があり、また賃貸物件所有者側にも、その際に転居する居住者が多いところから、空室発生による機会損失が発生している。
【発明の概要】
【発明が解決しようとする課題】
【０００３】  本発明は、連帯保証人不要・初期負担金額の支払い分割化などで賃貸物件入居者の便宜を図るとともに、賃貸物件管理会社や賃貸物件所有者サイドのトラブル・不便・損失などの回避をするものである。
【課題を解決するための手段】
【０００４】  家賃滞納保証業務と保険代理店業務を有する賃貸サポーター（Ａ社とする）が、クレジットカード所有の入居者には滞納保証・家財保証事務の肩代わりや初期負担金額の平準化（リボ払い）を、また賃貸物件管理会社にはカードによる支払いを通じて家賃徴収の煩雑化回避や滞納・徴収洩れのリスク回避などを実現する。【０００５】  賃貸物件所有者サイドに居住年数に比例して逓減する家賃制度を採用させることによって、入居者が居住期間を極力延長するようにしむけ、賃貸物件所有者サイドには空室物件の多発化のデメリット回避を、また長期間居住者には家賃逓減のメリットを提供する。
【発明を実施するための形態】
【０００６】  家賃滞納保証業務と保険代理店業務を有する賃貸サポーター（Ａ社とする）が、カード加盟店である賃貸物件管理会社と提携して、ＷＥＢ上に滞納保証・家財保証事務の簡素化や初期負担金額の平準化を可能とし家賃をカード決済できる賃貸物件を公開する。
【０００７】  賃貸物件入居希望者はＷＥＢ上で希望物件を選定し、家賃滞納保証業務と保険代理店業務を有する賃貸サポーター（Ａ社）経由で賃貸物件管理会社へ連絡して、物件視察・ヒヤリング等で最終的に入居を決める。
【０００８】  入居予定者と入居予定物件管理者から入居決定の連絡を受けた賃貸サポーター（Ａ社）は入居予定者のクレジットカードを確認の上家賃滞納保証と保険代理店業務の事務処理を行う。
【０００９】  賃貸サポーター（Ａ社）と提携する賃貸物件管理会社は予め賃貸物件所有者と協議の上、長期間定住すれば家賃が逓減していく家賃体系を設定しておき、長期間居住者には家賃逓減のメリットを、また賃貸物件所有者には空室物件の多発化のデメリット回避を提供する。
【発明の効果】
【００１０】  所定のクレジットカード所有者が簡単な手続でかつ一時的な負担金の増大を強いられることなく、賃貸物件に入居することが可能となり、入居後も家賃支払いをカード決済することによってカード会社のポイントを増やすことができる。
【００１１】  一方賃貸物件管理会社や賃貸物件所有者は入居事務処理の短縮化により空室期間が短くなるとともに、家賃徴収が容易になる。
【００１２】  この長期間継続居住により、入居者、賃貸物件所有者ともにメリットを受ける。
【図面の簡単な説明】
【００１３】
【図１】賃貸物件に関与する関連先の業務関連図
【図１】
2011187035.tif 000003
(57)【要約】【課題】有効な太陽光の利用を図る。【解決手段】ソーラーパネルの上部もしくは下部もしくは右側もしくは左側に反射板を取り付ける。【選択図】図１
2011187905.tif 000002
【特許請求の範囲】
【請求項１】
ソーラーパネルの上部もしくは下部もしくは右側もしくは左側に取り付ける反射板。
【発明の詳細な説明】
【技術分野】
【０００１】ソーラーパネルの太陽光の反射板の技術に関する。
【背景技術】
【０００２】従来のソーラーパネルには反射板が無い。
【発明の概要】
【発明が解決しようとする課題】
【０００３】有効な太陽光の利用を図る。
【課題を解決するための手段】
【０００４】ソーラーパネルの上部もしくは下部もしくは右側もしくは左側に反射板を取り付けて上記の課題を解決した。
【発明の効果】
【０００５】反射板を取り付けることにより太陽光をソーラーパネルに集光して太陽光を有効利用を図る。
【図面の簡単な説明】
【０００６】
【図１】ソーラパネルに設置された反射板
【発明を実施するための形態】
【０００７】図１はソーラーパネル２に反射板１を取り付けている。本図は上部に取り付けた例であって下部、右側、左側に取り付けても太陽光を集光出来るなら構わない。
【符号の説明】
【０００８】１  反射板
２  ソーラーパネル
【図１】
2011187905.tif 000003
(57)【要約】      （修正有）【課題】出力が所定値に到達しやすいよう目標値を漸次修正していくエキスパート制御法を制御対象の訓練目的で実現するため,それぞれ適切な信号処理および信号変換手段と訓練インターバル毎の目標値設定手段と目標値を修正し混合する手段と制御偏差を削減し整定時間と立上り時間を縮める学習制御手段を提供する。【解決手段】１）振幅一定で可変角速度周期信号のパルス幅変換を行う手段２）上記パルス信号と訓練インターバル信号から訓練インターバル毎のステップ信号を得る手段３）訓練インターバル毎に訓練目標値を与える手段４）訓練インターバル毎に開ループトレーナ目標値に近づいていく訓練目標値を生成する手段５）開ループトレーナ目標値に閉ループトレーナ目標値をオーバーライドさせてトレーナ目標値を生成する手段６）制御偏差もしくは変換制御偏差が減少するように学習制御を行う手段７）入力されるステップ幅に応じて振動周期が変化する手段。【選択図】図２
2011028527.tif 000002
【特許請求の範囲】
【請求項１】
出力が所定の値に到達しやすいように目標値を漸次修正していくエキスパート制御法を制御対象の訓練目的で人工的に実現するために 
パルス幅変換装置とステップ幅変換装置と所定のインターバルで目標値を与える開ループトレーナと出力との制御偏差に応じて所定の目標値を修正していく閉ループトレーナとその両トレーナーの目標値の小さい方を選択するオーバーライド装置から構成され、定値ステッピング法生成装置と定率ステッピング法生成装置を有することを特徴とする訓練制御装置
【請求項２】
上記訓練制御装置に非線形振動子を含み周波数変調された目標信号によって駆動され積分フィードバックによって安定化されることを特徴とする人工ニューラルネットワークとその複数ニューロンの混合率を学習することを特徴とする学習制御装置を追加したことを特徴とする学習訓練制御装置
【発明の詳細な説明】
【技術分野】
【０００１】
本発明は出力が所定の値に到達しやすいように目標値を漸次修正していく訓練制御（学習制御の一種）に関するものである。
【背景技術】
【０００２】
下記文献参照
【特許文献１】無し
【非特許文献１】林・坂本編著：酵素反応のダイナミクス、学会出版センター(1981)
【非特許文献２】藤原・山海：人工CPGによるFESコントローラとその遺伝的学習法、自動制御連合講演会前刷り、Vol.38,369/370(1995)
【発明の概要】
【発明が解決しようとする課題】
【０００３】
制御対象の訓練目的で、最終目標値への到達整定時間と到達度の立ち上がり時間が短く、到達度オーバーシュートが小さい目標値ステッピング信号を人工的に生成すること
【課題を解決するための手段】
【０００４】
１）可変角速度周期信号のパルス幅変換装置を設けることによって、振幅を一定に揃える信号処理を行う。
２）上記パルス信号と訓練インターバル信号から訓練インターバル毎のステップ信号を得る信号処理を行うステップ幅変換装置を設ける。
３）開ループトレーナを設けて、訓練インターバル毎に制御対象固有の効果的な訓練目標値を与える。
４）閉ループトレーナを設けて、訓練インターバル毎に定値もしくは定率法によって、開ループトレーナ目標値に近づいていく訓練目標値を生成する。
５）開ループトレーナ目標値に閉ループトレーナ目標値をオーバーライドさせる装置を設けて、トレーナ目標値を生成する。
６）訓練用の非線形人工ニューラルネットワーク（ANN)と学習制御装置を設けて、制御偏差もしくは変換制御偏差が減少するように学習制御を行う。
７）入力されるステップ幅に応じて振動周期が変化する発振器を設ける。
【発明の効果】
【０００５】
特定の非線形人工ニューラルネットワーク学習を加えることで、開ループで行う目標値ステッピング法に比べて、閉ループで行う定値ステッピング法と定率ステッピング法は最終目標値への到達整定時間を早める効果があり、特に、定率ステッピング法は立ち上がり時間が短く、早期に高い到達度を達成する効果が得られる。
【発明を実施するための最良の形態】
【０００６】
図３に示すようにさらに改良された非線形ニューラルネットワークを用いて直接周期目標値を制御対象に入力できるようにすれば、制御対象の周期応答訓練が期待できる。
【実施例】
【０００７】
１）問題の記述 
一次遅れ制御対象に対して、１０秒インターバルで５０秒の訓練学習制御をオープンステッピング法・定値ステッピング法・定率ステッピング法の３種類の訓練法で比較シミュレーションを行う。
２）非線形人工ニューラルネットワーク
非特許文献１に記載の酵素反応モデルを林定位モデルと称してニューロンのインナーモデルとして用いたものと、フィードバックを切って非定位モデル化した林非定位モデルを比較対象として用いた。これらの積分フィードバックを行った振動子とフィードバックを行っていない振動子を合計３つ用意して、出力を混合し、その正規化混合率を学習装置によって修正する方式とした。
３）シミュレーション結果
図２および図３のシステム構成におけるステップ応答訓練問題と周期応答訓練問題に対して同時シミュレーションを行った結果を図４と図５に示す。
青がトレーナ目標値であり、緑が制御対象出力もしくはステップ幅変換出力である。オープンステッピング法よりも定値および定率ステッピング法の方が訓練性能が優れており、制御偏差が総じて小さい。さらに、定値ステッピング法よりも定率ステッピング法の方が制御偏差の面でも立ち上がり時間の面でも整定時間の面でも優れている。この傾向は定位モデルでも非定位モデルでも」ほぼ同様である。ANNの学習混合率の推移を見るとかなり早い段階で３個ニューロンから２個ニューロンに収束していることが判る。
結果は省略したが、学習を行わない図１のシステム構成では目標値追従性が非常に悪い。
４）結論
本実施例では図２および図３のシステム構成による２種類の訓練は同じ結果であるが、図３の場合に制御対象に入力される信号が非線形振動であり、あまり好ましいとは思えないので、選択図は図２とする。最良の形態であると思われる図３の周期訓練の実現にはさらなる改良が必要である。
【産業上の利用可能性】
【０００８】
１）免荷式歩行訓練装置
２）その他各種リハビリ装置
３）スポーツ用訓練装置
４）その他各種プラント起動制御装置
【図面の簡単な説明】
【０００９】
【図１】学習を用いない制御対象の周期応答訓練の構成図
【図２】非線形人工ニューラルネットワーク学習を用いた制御対象のステップ応答訓練の構成図
【図３】非線形人工ニューラルネットワーク学習を用いた制御対象の周期応答訓練の構成図
【図４】林定位モデルをANNのニューロンインナー部に用いた場合の訓練法の比較シミュレーション
【図５】林非定位モデルをANNのニューロンインナー部に用いた場合の訓練法の比較シミュレーション
【図１】
2011028527.tif 000003
【図２】
2011028527.tif 000004
【図３】
2011028527.tif 000005
【図４】
2011028527.tif 000006
【図５】
2011028527.tif 000007
(57)【要約】【課題】Ｗｉｎｄｏｗｓ電子演算機の、ＯＳのインストール日から現在日時までの、実行ファイルの使用履歴、スタートメメニュ内のプログラム実行履歴、デスクトップ上のショートカット及びファイルの実行履歴、ブラウザ上のブックマークの実行履歴を検出する。【解決手段】Ｗｉｎｄｏｗｓ電子演算機内のレジストリを解析し、解決する。【特許請求の範囲】
【請求項１】
Ｗｉｎｄｏｗｓ電子演算機内に存在するレジストリを解析し、対象Ｗｉｎｄｏｗｓ電子演算機に対し、現在までに行ってきた操作履歴を検出することを特徴としたプログラム。
【請求項２】
Ｗｉｎｄｏｗｓ電子演算機に於ける、ＯＳのインストール日から現在日時までの、実行ファイルの使用履歴、スタートメメニュ内のプログラム実行履歴、デスクトップ上のショートカット及びファイルの実行履歴、ブラウザ上のブックマークの実行履歴を、検出することを特徴とした請求項１記載のファイル実行履歴解析プログラム。
【発明の詳細な説明】
【技術分野】
【０００１】本発明は、Ｗｉｎｄｏｗｓ電子演算機のファイル実行履歴を、レジストリ解析により検出するプログラムに関するものである。
【背景分野】
【０００２】従来、Ｗｉｎｄｏｗｓ電子演算機のファイル実行履歴を、レジストリ解析により検出し、一覧表示する製品はなかった。
【発明の開示】
【発明が解決しようとする課題】
【０００３】Ｗｉｎｄｏｗｓ電子演算機の私物化使用、データ改竄、コンピューターウィルスによる情報漏洩があったかを判別するには、予め調査対象電子演算機に使用者の行動を記録する製品をインストールする必要があった。本発明は、この課題を解消する為になされたものである。
【課題を解決するための手段】
【０００４】Ｗｉｎｄｏｗｓ電子演算機内に存在するレジストリと呼ばれる部位を解析することで、予め使用者の行動を記録する製品を、電子演算機にインストールしておかなくとも、ファイルの実行履歴の検出ができるようにした。また、検知対象電子演算機の固有情報を付加することで、検知結果がどの演算機であるかを明確化できるようにした。
【発明の効果】
【０００５】Ｗｉｎｄｏｗｓ電子演算機のファイルの実行履歴を検出することによって、検出対象の電子演算機が社員により私物化されていないか、不正に情報が改竄されていないか、コンピューターウィルスにて情報漏洩が発生していないかを、事後調査することができる。
また解析結果に、対象電子演算機の固有情報及び解析日時が表示することで、どの端末をいつ解析したかを明確にすることができる。
【発明を実施するための最良の形態】
【０００６】本発明のプログラムをＣＤロム媒体にて提供することで、一般的に多く普及しているＣＤドライブ搭載型の電子演算機での使用ができ、ファイルの実行履歴を検出することができる。
またインストールを不要とすることで、解析対象となる電子演算機の、検出直前のレジストリ情報を書き換えることがなく解析することができる。
(57)【要約】【課題】  購入者が、絵画を購入する場合、将来的価値および正味現在価値の変動を考慮し、購入することを可能にする絵画の取引システムを提供する。【解決手段】  Ｗｅｂ上の取引サイトで一定の期限を設定し、その期限内において出品者、または現所有者と購入希望者が絵画の引受ける権利を売買する。売買成立の都度、当事者間で絵画の受け渡しは行わず、占有の改定のみを行い、期限到来日の取引終了時点で絵画を引き受ける権利を有するものが、最終的な絵画の所有者となることを特徴とする絵画取引システムである。【選択図】図２
2011028704.tif 000002
【特許請求の範囲】
【請求項１】
インターネット上において絵画を取り扱う仮想取引所を運営し、複数の端末、および核端末の各々と接続する管理サーバと接続するインターネット上の仮想取引所サイトを有する期限付絵画取引システムであって、運営サイト内において、絵画の現所有者が、絵画の希望売却価格を提示し、一定期間内に絵画の最終的な所有権及び引受権を取引するため、Ｗｅｂ上で現所有権者と購入希望者が、双方向に当該権利の売買価格を情報送信によって、当該権利の売買を試行し、期限日に当該権利を最終的に有することで絵画の所有権及び引受権者を確定させることを特徴とする期限付絵画取引システム。
【発明の詳細な説明】
【技術分野】
【０００１】  本発明は、絵画、とりわけ原画の市場価値を客観的かつ公正に認識し、取引するためのビジネス方法に関するものである。
【背景技術】
【０００２】  従来、絵画のオークション取引および取引システムは、現所有者、またはオークション運営体が落札期間内において最終落札価格を決定する手法であった。
【発明の開示】
【発明が解決しようとする課題】
【０００３】  そのために次のような問題点があった。
（イ）落札希望者が一旦入札すれば、後に購入意思が喪失しても落札者は入札の取消が困難なため、入札した価格をもって買取する必要性が発生していた。
（ロ）落札期間内において、所有権が出品者にある以上、一回でも希望落札価格を超過する入札があれば、商品価値の低下が認識されても希望落札価格から商品落札価格が下落することがない。
本発明は、これらの問題点を解決するためになされたものである。
【課題を解決するための手段】
【０００４】  インターネット上の運営サイトにおいて、出品者が作品の希望売却価格を提示し、一定期限内に作品を引き受ける権利を所有権も含めて売買することを特徴とする取引システムである。
【発明の効果】
【０００５】  出品者または現所有者の希望売却価格に応じたうえ、一定期限内において出品作品の価値を反映した価格で取引され、市場の流通性を向上させるきわめて公正な絵画売買取引である。
【発明を実施するための最良の形態】
【０００６】  以下、本発明の実施の形態について説明する。
（イ）インターネット上に取引サイトを設け、ある一定の取引要件を満たした出品者及び取引参加者のみが、ログイン画面からＩＤ及びパスワードでログインし、絵画売買取引に参加する。
（ロ）出品者、または現所有者は、所有する絵画の希望売却価格を提示し、複数の購入希望者が、サイト内に設けた出品作品を選択し、購入を希望する作品がある場合、端末を通じて指示をする。また、売却価格または購入価格の変更の意思表示は、取引の成立前であれば、その都度指示できる。
（ハ）一定の期限を設定し、その期限内において出品者と購入希望者、または購入者とその他の購入希望者とが相互に売買価格を提示することで絵画を引き受ける権利の売買を繰り返し、その都度、取引される絵画の受け渡しはせず、占有の改定のみが行われ、期限到来日の取引終了時点で絵画を引き受ける権利を有するものが、最終的な絵画の所有者となる。
【図面の簡単な説明】
【０００７】
【図１】本発明のＷｅｂ上での系統図である。
【図２】本発明の取引システムを説明する模式図である。
【符号の説明】
【０００８】▲１▼出品者の端末
▲２▼取引参加者の端末
▲３▼Ｗｅｂ上での取引所
【図１】
2011028704.tif 000003
【図２】
2011028704.tif 000004
(57)【要約】      （修正有）【課題】ユーザーが所持している実体顕微鏡を使用して蛍光試料を透過蛍光観察するための装置を提供する。【解決手段】蛍光観察用生物試料６を蛍光励起用フィルター２上に置き、蛍光励起用ＬＥＤ光源１からの照射光７を蛍光励起用フィルター２にて蛍光励起光波長のみ抽出し生物試料６に照射する。生物試料が蛍光した蛍光光が蛍光観察用吸収フィルター３を透過すると、蛍光励起用フィルター２からの蛍光励起光波長は吸収フィルター３にて吸収遮断され蛍光像のみが実体顕微鏡の対物レンズ５に到達する。【選択図】図１
2011028187.tif 000002
【特許請求の範囲】
【請求項１】
実体顕微鏡のステージ上に置いて、蛍光試料を透過蛍光観察する為のＬＥＤ光源・蛍光励起フィルター・蛍光吸収フィルターが一体になった透過蛍光観察用装置。
【発明の詳細な説明】
【技術分野】
【０００１】  本発明は、既存の実体顕微鏡のステージ上と対物レンズの間に本装置を置くだけで例えば蛍光タンパク質を発現させたり蛍光標識をした生物試料などの蛍光透過観察ができるようにする下部ＬＥＤ励起光源部と上部蛍光観察用吸収フィルターを組み合わせたユニットである。
【背景技術】
【０００２】  従来の実体顕微鏡での蛍光観察は、実体顕微鏡自体に蛍光励起用落射用光源と蛍光観察用吸収フィルターを光学系に組み込む為、新規に実体顕微鏡での蛍光観察をするには蛍光用実体顕微鏡を新規購入するか手持ち顕微鏡のメーカーが用意する蛍光化オプションを購入する必要がありコスト負担が大きかった。
【発明が解決しようとする課題】
【０００３】従来の実体顕微鏡での蛍光観察は実体顕微鏡自体に蛍光励起用落射用光源と蛍光観察用吸収フィルターを光学系に組み込む為構造が複雑になり非常に高額になっていた。
【課題を解決するための手段】
【０００４】本発明は、上記課題を解決するため、以下の手段を採用する。
このユニットは蛍光励起用光源に顕微鏡光学系からみて生物試料の反対側から照射する透過照明方式を採用することにより、実体顕微鏡のステージと対物レンズの空間に励起用フィルターをはめ込んだ光源と蛍光観察用吸収フィルター両方を設置できるようになる。
【発明の効果】
【０００５】複雑な光学系がない構造でシンプルなため安価に提供でき、既存の実体顕微鏡のステージ上に置くだけなのでユーザー手持ちの実体顕微鏡がそのまま流用できるメリットがある。
【図面の簡単な説明】
【０００６】図１は、本発明の構造断面図である。
【発明を実施するための形態】
【０００７】  例えば蛍光観察用生物試料６を蛍光励起用フィルター２上に置き、蛍光励起用ＬＥＤ光源１からの照射光７を蛍光励起用フィルター２にて蛍光励起光波長のみ抽出し生物試料６に照射する。生物試料が蛍光した蛍光光が蛍光観察用吸収フィルター３を透過すると、蛍光励起用フィルター２からの蛍光励起光波長は吸収フィルター３にて吸収遮断され蛍光像のみが実体顕微鏡の対物レンズ５に到達するので蛍光観察ができる。
【符号の説明】
【０００８】１  蛍光励起用ＬＥＤ光源
２  蛍光励起用フィルター
３  蛍光観察用吸収フィルター
４  実体顕微鏡ステージ
５  実体顕微鏡対物レンズ
６  蛍光観察用生物試料
７  ＬＥＤからの照射光
【図１】
2011028187.tif 000003
(57)【要約】【課題】従来自動撮影を行う時に三脚を使用していたが、常時三脚を持ち歩く必要があった又人ごみの所では使用出来なかった。【解決手段】撮影機取り付け金具を上側に設けた自在継ぎ手を撮影機取り付け台に固定し、更に前面に水準器を左右に伸縮棒を設けた伸縮機構を孔に移動出来る状態で取り付け、更に途中で止められる用にストッパーを設ける事による水平表示機能付き撮影機取り付け台。【選択図】図２
2011028190.tif 000002
【特許請求の範囲】
【請求項１】
撮影機取り付け金具（１）を上側に設けた自在継ぎ手（６）を撮影機取り付け台（５）に固定し、更に前面に水準器（２）を左右に伸縮棒を設けた伸縮機構（４）を孔（８）に移動出来る状態で取り付け、更に途中で止められる用にストッパー（３）を設ける事による水平表示機能付き撮影機取り付け台。
【請求項２】
撮影機取り付け台（５）の後面に継ぎ手（１１）を設け、伸縮棒（１３）を回転自在の状態で取り付け、締め付け具（１２）を設ける事により角度に固定し撮影機取り付け金具（１）を上側に設けた自在継ぎ手（６）を撮影機取り付け台（５）に固定し、更に前面に水準器（２）を左右に伸縮棒を設けた伸縮機構（４）を孔（８）に移動出来る状態で取り付け、更に途中で止められる用にストッパー（３）を設ける事による水平表示機能付き撮影機取り付け台。
【発明の詳細な説明】
【技術分野】
【０００１】本発明は、デジタルカメラ、撮影機付き携帯電話等で三脚を使用しないで自動撮影を行う分野に関する物である．
【背景技術】
【０００２】従来自動撮影を行う時に三脚を使用していた。
【発明の開示】
【発明が解決しようとする課題】
【０００３】そのために次のような問題点があった．
（イ）常時三脚を持ち歩く必要があった．
（ロ）三脚をセットするのに大変だった．
（ハ）人ごみの所では使用出来なかった
（ニ）準備に時間が掛かった
【課題を解決する手段】
【０００４】上記の問題点を解決する為、撮影機取り付け金具を自在継ぎ手の上面に設けこれを撮影機取り付け台に取り付ける。
前面に水準器を設け、伸縮棒による伸縮機構を設ける。
【発明の効果】
【０００５】その結果、次の効果が生じる．
（イ）三脚が不要である．
（ロ）撮影準備の時間が短い
（ハ）目立たないので恥ずかしくない
（ニ）気軽に自動撮影が出来る．
（ホ）撮影者側より撮影機の上下角度、水平角度を調整出来るので伸縮機構の角度を付けると手及び伸縮機構が画面に入らない
（ヘ）水準器が付いているので水平状態に出来る。
【発明を実施する為の最良の形態】
【０００６】以下本発明の実施形態について説明する．
（イ）図１は、撮影機取り付け金具（１）を上側に設けた自在継ぎ手（６）を撮影機取り付け台（５）に固定する。
更に前面に水準器（２）を左右に伸縮棒を設けた伸縮機構（４）を孔（８）に移動出来る状態で取り付け、更に途中で止められる用にストッパー（３）を設ける。
使用する時は撮影者が手だ持ち、適当な距離まで伸ばしストッパー（３）で止めるが、長い距離の場合は、階段、柵、木の枝等に乗せると震えない撮影機（９）と撮影機取り付け台（５）を水平よりも大きな角度に開くと撮影の画面に伸縮機構（４）が入り難い。
（ロ）図２は、撮影機取り付け台（５）の後面に継ぎ手（１１）を設け、伸縮棒（１３）
【図１】
2011028190.tif 000003
【図２】
2011028190.tif 000004
【手続補正書】
【提出日】平成21年9月15日(2009.9.15)
【手続補正１】
【補正対象書類名】明細書
【補正対象項目名】全文
【補正方法】変更
【補正の内容】
【発明の詳細な説明】
【技術分野】
【０００１】本発明は、デジタルカメラ、撮影機付き携帯電話等で三脚を使用しないで自動撮影を行う分野に関する物である．
【背景技術】
【０００２】従来自動撮影を行う時に三脚を使用していた。
【発明の開示】
【発明が解決しようとする課題】
【０００３】そのために次のような問題点があった．
（イ）常時三脚を持ち歩く必要があった．
（ロ）三脚をセットするのに大変だった．
（ハ）人ごみの所では使用出来なかった
（ニ）準備に時間が掛かった
【課題を解決する手段】
【０００４】上記の問題点を解決する為、撮影機取り付け金具を自在継ぎ手の上面に設けこれを撮影機取り付け台に取り付ける。
前面に水準器を設け、伸縮棒による伸縮機構を設ける。
【発明の効果】
【０００５】その結果、次の効果が生じる．
（イ）三脚が不要である．
（ロ）撮影準備の時間が短い
（ハ）目立たないので恥ずかしくない
（ニ）気軽に自動撮影が出来る．
（ホ）撮影者側より撮影機の上下角度、水平角度を調整出来るので伸縮機構の角度を付け      ると手及び伸縮機構が画面に入らない
（ヘ）水準器が付いているので水平状態に出来る。
【発明を実施する為の最良の形態】
【０００６】以下本発明の実施形態について説明する．
（イ）図１は、撮影機取り付け金具（１）を上側に設けた自在継ぎ手（６）を撮影機取り      付け台（５）に固定する。
更に前面に水準器（２）を、左右に伸縮棒を設けた伸縮機構（４）を孔（８）に移      動出来る状態で取り付け、更に途中で止められる用にストッパ−（３）を設ける。
使用する時は撮影者が手で持ち、適当な距離まで伸ばしストッパ−（３）で止める      が、長い距離の場合は、階段、柵、木の枝等に乗せると震えない撮影機（９）と撮      影機取り付け合（５）を水平よりも大きな角度に開くと撮影の画面に伸縮機構（４      ）が入り難い。
（ロ）図２は、撮影機取り付け台（５）の後面に継ぎ手（１１）を設け、伸縮棒（１３）      を回転自在の状態で取り付け、締め付け具（１２）を設ける。
この場合は、地面、台（１０）に伸縮棒（１３）が接地するので震えない。
【図面の簡単な説明】
【０００７】
【図１】本発明の斜視図である．
【図２】本発明の斜視図である．
【符号の説明】
【０００８】１．撮影機取り付け金具  ２．水準器  ３．ストッパー  ４．伸縮機構
５．撮影機取り付け台  ６．自在継ぎ手  ７．角度調節棒  ８．孔  ９．撮影機
１０．台  １１．継ぎ手  １２．締め付け具  １３．伸縮棒
(57)【要約】      （修正有）【課題】従来のブレッドボードは、配線にワイアーを使用することによって、配線の手間が発生した。また、従来の教育機器は電圧の変化を俯瞰的にとらえることが不可能だった。【解決手段】電気的に一つ一つが独立なソケットｃを上下左右それぞれ二つずつのＭＯＳＦＥＴｅで接続しマトリクスを作り出す。それを電気的にコントロールすることによりソケットｃ間に任意の配線を作り出す。ソケットｃについて、電圧を測定し、その変化をＬＥＤｆの色と光で表現することにより、電圧を可視化し、それにより配線も可視化される。【選択図】図５
2011028192.tif 000002
【特許請求の範囲】
【請求項１】
ブレッドボード型の機器において、電圧を色光によって可視化し、ブレッドボード上に色で表現するブレッドボード
【請求項２】
電気的に独立した一つ一つのソケットをＭＯＳＦＥＴによってつなぐことにより、任意のソケットの導通状態を作り出す機構
【請求項３】
ブレッドボード型の機器において、指やペンなどでなぞることにより、変化する静電容量を検出すること。
【請求項４】
ブレッドボード型の機器において、指やペンなどでなぞることにより、変化する静電容量を検出し、各々のソケット同士を電気的に導通させること。
【発明の詳細な説明】
【技術分野】
【０００１】  本発明は、電気、電子機器の開発に関するツール、教育機器に関する。
【背景技術】
【０００２】  電子回路を作る際に使う、ＩＣ、抵抗、コンデンサなどを差し込むはんだ付け不要の基板をブレッドボードという。これは、内部が図１のように結線されており、それぞれの間に部品を差し込むことにより、電気的に導通させるものである。それにより、回路の試作が可能になる。
【先行技術文献】
【特許文献】
【０００３】
【特許文献１】  特開２０００−１２４５６３
【０００４】
【特許文献２】  特開２００５−０１１９００
【発明の概要】
【発明が解決しようとする課題】
【０００５】  ブレッドボードでは、回路同士の導通は、ワイアーを図１の互いのクリップ同士を接続することによって行われる。そして、回路中にどんな電圧がかかっているかは可視化することは出来ない。【０００６】  本発明は、指やペンでなぞることによって、任意の配線（電気的導通状態）をブレッドボード内に作り出すことを可能にする。直感的な配線に関わる問題を解決する。【０００７】  本発明は、ブレッドボード上にある各々の穴にかかる電圧をＬＥＤの色で可視化する。それにより、素子同士が、光の点で結ばれ、回路内の配線にかかる電圧を一目で理解することを可能にする。【０００８】  本発明は、ブレッドボード上にある各々の穴を時間的に緩やかに接続することにより、回路中の素子にかかる電圧の時間的変化を理解することを可能にする。
【課題を解決するための手段】
【０００９】  上記項目を達成するために、本発明では、ブレッドボードの各々の穴の直下に、独立したソケット（図２）を用意する。【００１０】  上記項目を達成するために、本発明では、ブレッドボードの各々の穴の斜め位置に（図３）、金属を埋め込み、その金属の静電容量の変化を検出する回路を用いて、指やペンの位置を特定する。【００１１】  上記項目を達成するために、本発明では、ブレッドボードの各々の穴のソケットを、上下左右のソケット間にＭＯＳＦＥＴをふたつずつ配置することによって、導通状態を電気的にコントロールすることを可能にする。（図４）【００１２】  上記項目を達成するために、本発明では、ブレッドボードの各々の穴のソケットから電圧を取得し、それをＡＤ変換し、その値にもとづいて、ソケットの下にあるフルカラーＬＥＤの色を変化させ、電圧を可視化する。（図５）
【発明の効果】
【００１３】  これにより任意の配線がブレッドボードに手、もしくはペンで引くことが出来、直感的で、素早く手間がかからず、理解しやすい作業が可能になる。【００１４】  ブレッドボードの中の配線にかかる電圧がＬＥＤの色と光によって可視化されることにより、回路中の動態を俯瞰で眺めるだけで理解できるようになる。
【図面の簡単な説明】
【００１５】
【図１】通常のブレッドボードの外観、および断面図
【図２】ブレッドボードの穴とソケットの図
【図３】静電容量検出のための金属片の配置の図
【図４】任意の配線を作り出すためのＭＯＳＦＥＴのリレー回路の図
【図５】電圧の測定と、フルカラーＬＥＤの制御に関する図
【図６】上記の層状構造に関する全体図
【発明を実施するための形態】
【００１６】  上に挙げた図２〜６に従って本発明の実施の形態を説明する。
【００１７】  図２のように、各々の穴の直下には、部品の足をさすためのソケットが、一つ一つが電気的に独立した状態で、マトリクス状に並んでいる。これにより、各々の穴のソケットは、電気的に独立である。
【００１８】  図３のように、金属片を配置し、その電圧の伝わり方を測定することにより、静電容量の変化を測定し、静電容量の変化を検出した金属片をまとめて群としてとらえることにより、群の上に指があることを特定し、検出する。
【００１９】  図４のように、ブレッドボードの穴の直下に配置されたソケット同士を上下左右の位置においてそれぞれ二つずつのＭＯＳＦＥＴによって接続する。ゲート電圧を変化させることにより、任意のタイミングで、ソケット同士を電気的に接続させることを可能にする。
【００２０】  図５のように、ブレッドボードの穴の直下に配置されたソケットについて、電圧を測定し、ＡＤ変換を行う。その値に基づいて、フルカラーＬＥＤの色と光量を変化させ、電圧を可視化するを可能にする。
【００２１】  図６のように、図２〜５で挙げた各々の機能をもつような層状構造が、立体的に配置され、ひとつのブレッドボードを成す。
【図１】
2011028192.tif 000003
【図２】
2011028192.tif 000004
【図３】
2011028192.tif 000005
【図４】
2011028192.tif 000006
【図５】
2011028192.tif 000007
【図６】
2011028192.tif 000008
(57)【要約】【課題】ペン字・書道の教材・作品を紙に印刷したもの、若しくは斜めから撮影した映像ではなく、真上から撮影する方法と、映像作品を提供する。【解決手段】ペン字・書道を書く人物の上に垂直（３）にビデオカメラ（２）を設置し、撮影することにより、真上から撮影した、正確な字の形、字を書くときのペンの動きである「運筆」が確認できる映像を提供する。【選択図】図１
2011028196.tif 000002
【特許請求の範囲】
【請求項１】
ペン字・書道をビデオカメラ（２）で撮影した映像
【請求項２】
ペン字・書道をビデオカメラ（２）で撮影した映像による教材
【請求項３】
ペン字・書道をビデオカメラ（２）で用紙の真上から垂直に撮影（３）する方法
【発明の詳細な説明】
【技術分野】
【０００１】この発明は、ペン字・書道をビデオカメラで真上から撮影した映像である。
【背景技術】
【０００２】従来、ペン字・書道の教材は紙に記録してあった。【０００３】従来、ペン字・書道の作品は紙に記録してあった。【０００４】従来、ペン字・書道の映像は斜めから撮影されたものであった。
【発明の開示】
【発明が解決しようとする課題】
【０００５】これは次のような欠点があった。
紙によるペン字・書道の記録では、字の形はわかるものの、実際にどのようにペンを動かしているのかという「運筆」はわからなかった。
斜めから撮影した映像では、運筆はわかるものの、斜めから見た角度により字が歪んで見えて、正確な字の形がわからなかった。本発明は、以上のような欠点をなくすためになされたものである。
【課題を解決するための手段】
【０００６】字を書く人物の前に三脚を立て、十分三脚の足を伸ばし、ビデオカメラのファインダーを下向きに設置し、字を書く紙に向けて垂直に撮影する。
本発明は以上の構成よりなるペン字・書道の映像である。
【発明の効果】
【０００７】ペン字・書道の映像が真上から撮影されているので、実際にどのようにペンを動かしているのかという「運筆」も確認でき、字の形も正確に確認できる。
【発明を実施するための最良の形態】
【０００８】以下、本発明を実施するための最良の形態について説明する。
紙（６）と三脚を置くためのテーブル（５）を設ける。
テーブルの前に、ペン字・書道を書く人物（４）を座らせる。
ペン字・書道を書くための紙（６）を人物の正面に置く。
ペン字・書道を書く際に妨げにならないよう、人物の両手を跨ぐように三脚（１）を設置する。このとき、あらかじめカメラを取り付ける雲台は三脚の内側に取り付けておく。
カメラ（２）をテーブルに向けて垂直（３）に取り付ける。
三脚（１）を移動して、ビデオカメラのファインダーが紙の真上に来る位置に設置する。
ビデオカメラ（２）のピントはオートではなく、紙に合わせてピントは固定する。これにより、人物の手にピントが合って、字がピンボケになってしまうことを防ぐ。
ビデオカメラのホワイトバランスなども、手が映像に入ることで、紙と字の映像が変わってしまわないためにオートではなく固定に設定する。
ビデオカメラ（２）の録画ボタンを押し、撮影を開始する。
人物が字を書き始める。この時、字の書き方を口頭で説明をしながら書けば、字の書き方に対する理解が深まる。
紙（６）における、字の位置がビデオカメラ（２）の垂直（３）の位置からずれる場合は、紙（６）をそのままスライドして、ビデオカメラ（２）に対して垂直（３）の位置に紙の位置を変える。【０００９】記録した映像を、ＤＶＤ、ビデオテープ、インターネットの動画配信、映像放送などを通じて提供をする。
【産業上の利用可能性】
【００１０】従来、ペン字・書道の教育分野においては紙を介した練習帳・通信添削などで提供されているが、これに本発明によって作成された映像を追加することにより、ペン字・書道の「運筆」などが確認できるので、より一層の理解に貢献する。【００１１】従来、ペン字・書道の展覧会においてはすでに紙に書かれた作品を鑑賞するが、これに本発明によって作成された映像を追加することにより、ペン字・書道の芸術性がより多様化される。
【図面の簡単な説明】
【００１２】
【図１】本発明の側面図である
【符号の説明】
【００１３】１  三脚
２  ビデオカメラ
３  ビデオカメラと紙が垂直の位置
４  ペン字、書道を書く人物
５  三脚を置くためのテーブル
６  ペン字、書道を書くための紙
【図１】
2011028196.tif 000003
(57)【要約】      （修正有）【課題】電子演算機の盗難追跡、情報流出端末の特定、第三者による内部構成の変更検知を可能とする。【解決手段】電子演算機の内部を構成するハードウエア及びそれらの製品番号を基に、それらを数値変換し一意な製品番号とすることで、内部構成が極端に変更されない限り固定一意な製造番号を発行する。またＯＳと紐付けするものとしないものとの２種類の製造番号を発行することで、電子演算機の柔軟な管理や容易な防犯方法の採択を行う。【選択図】なし【特許請求の範囲】
【請求項１】
電子演算機に使用されている部品及びそれらの製造番号を解析し、固定一意な電子演算機本体の製品番号を発行することを特徴とした、内部構成基軸型製造番号発行プログラム。
【発明の詳細な説明】
【技術分野】
【０００１】本発明は、電子演算機の内部構成を基に、固定一意な製造番号を発行するプログラムに関するものである。
【背景分野】
【０００２】従来、電子演算機の内部構成のみを基とした、もしくはハードウエアの製造番号とＯＳを紐付けした、固定一意な製造番号を発行する製品はなかった。
【発明の開示】
【発明が解決しようとする課題】
【０００３】メーカー製であることを問わず、電子演算機は内部構成を基にした固有の製品番号を付与されていない為、Ｗｉｎｄｏｗｓを削除されてしまうと、使用者を特定することは困難な現状がある。
この状況に於いて、電子演算機の盗難追跡、情報流出端末の特定、第三者による内部構成の変更検知を行うのは困難であり、本発明は、この課題を解消する為になされたものである。
【課題を解決するための手段】
【０００４】電子演算機の内部を構成するハードウエア及びそれらの製品番号を基に、内部構成が極端に変更されない限り固定一意な製造番号を発行するプログラムにて、解決する。またＯＳと紐付けするものとしないものとの２種類の製造番号を発行することで、電子演算機の柔軟な管理や容易な防犯方法の採択を行うことのできる特徴を持つ。
【発明の効果】
【０００５】電子演算機は内部構成を基にした固有一意の製造番号を発行することで、メーカーや企業がソフトウエアにより管理でき、電子演算機本体のサポート、盗難時の追跡が容易に行うことが出来る。また内部構成基軸型製造番号をワードやエクセル、ＰＤＦ、写真画像などのデータに付加することで、情報データの管理、情報流出の原因究明を容易にすることが出来る。
【発明を実施するための最良の形態】
【０００６】本プログラムをＷｉｎｄｏｗｓアプリケーションにて提供することで、電子演算機の個々のユーザーが内部構成基軸型製造番号を、個々の判断にて活用することができる。また企業ないしメーカーのシステム管理者が、全体的な電子演算機を管理する場合には、本プログラムを各社のサーバーに搭載することで、インターネットを通じて活用することができる。